(57)【特許請求の範囲】
【請求項１】
レンズ装置に接続され、該レンズ装置と通信を行うことにより該レンズ装置が持っている機能を認識することが可能なレンズ操作装置であって、
スイッチと、
前記認識した機能のうちの１つの機能の有効と無効との切り替え機能を、所定の優先順位に基づいて自動的に前記スイッチに割り振る制御手段と、
を備えたことを特徴とするレンズ操作装置。
【請求項２】
前記レンズ装置が防振機能付きのレンズ装置である場合には、前記所定の優先順位に基づいて、前記スイッチに対して防振機能の有効と無効とを切り替える機能を割り振ることを特徴とする請求項１記載のレンズ操作装置。
【請求項３】
前記所定の優先順位は、予め設定されていることを特徴とする請求項１又は２に記載のレンズ操作装置。
【請求項４】
前記レンズ装置の機能のうち使用頻度が高い機能ほど、前記所定の優先順位において優先順位が高いことを特徴とする請求項１〜３の何れか１つの請求項に記載のレンズ操作装置。
【請求項５】
前記レンズ装置が有する機能は、防振機能及びオートフォーカス機能及びシャトルショット機能及びプリセット機能の少なくとも１つであり、前記スイッチに割り振られる機能は、前記少なくとも１つの機能の有効と無効の切り替えであることを特徴とする請求項１〜４の何れか１つの請求項に記載のレンズ操作装置。
【請求項６】
請求項１〜５に記載のレンズ操作装置と、該レンズ操作装置に接続した前記レンズ装置と、前記レンズ装置を接続するテレビカメラにより構成したことを特徴とする撮像装置。
【発明の詳細な説明】
【技術分野】
【０００１】
本発明は、テレビレンズ、ビデオレンズなどに用いられるレンズ装置で使用するレンズ操作装置に関するものである。
【背景技術】
【０００２】
テレビ放送や、ビデオ撮影に用いられるカメラシステムに使用されるレンズ装置には、従来からズームやフォーカスのサーボ駆動操作を遠隔から可能とするズームデマンドや、フォーカスデマンドが用いられている。これらのデマンドには、特にズームデマンド、ズーム操作用の操作部材であるサムリングスイッチが設けられている。またその他に、ＶＴＲの有効／無効を行うスイッチ、他のカメラマンが撮影している映像をビューワに表示させるＲＥＴスイッチ、エクステンダの１倍、２倍等を電動で切換えるためのＩＥ切換スイッチが付設されている。更に特許文献１、２のように、様々なレンズ装置に搭載されているクイックズーム、シャトルショット、プリセット等の機能の有効／無効を行うＡＵＸスイッチなど、種々の操作が可能なスイッチが設けられている。
【０００３】
【特許文献１】特開平６−２７６４２１号公報
【特許文献２】特開平１１−２７１５９２号公報
【発明の開示】
【発明が解決しようとする課題】
【０００４】
しかし、これら従来のカメラシステムにおける操作部材、つまりズームデマンド、フォーカスデマンドの使用時に、これらのスイッチは予めその機能が設定されている。その機能やスイッチ割当位置を変更するためには、別途に設けた機能、例えばＰＣ等の接続やレンズ装置内の切換手段等により切換えるなどの割当位置切換手段により設定をし直す必要がある。
【０００５】
また、新たな機能を搭載したレンズ装置にデマンドを使用する際には、割当位置切換装置にその機能をスイッチに割り振ることができない場合に、使用不可能になってしまう問題もある。
【０００６】
本発明の目的は、上述の問題点を解消し、レンズ装置に接続した際に、レンズ装置の種類、機能を認識し、自動的にその機能をスイッチに割り振るレンズ操作装置を提供することにある。
【課題を解決するための手段】
【０００７】
上記目的を達成するための本発明に係るレンズ操作装置の技術的特徴は、レンズ装置に接続され、該レンズ装置と通信を行うことにより該レンズ装置が持っている機能を認識することが可能なレンズ操作装置であって、スイッチと、前記認識した機能のうちの１つの機能の有効と無効との切り替え機能を、所定の優先順位に基づいて自動的に前記スイッチに割り振る制御手段と、を備えたことにある。
【発明の効果】
【０００８】
本発明に係るレンズ操作装置によれば、レンズ装置に接続した際に、そのレンズ装置が持つ機能を自動的にスイッチに設定することで、ユーザがわざわざその設定を切換えることなく、即座に必要な機能を持つスイッチとして使用することができる。
【発明を実施するための最良の形態】
【０００９】
本発明を図示の実施例に基づいて詳細に説明する。
【実施例１】
【００１０】
図１はズームコントロールスイッチ１を備え、テレビカメラとレンズ装置から成るカメラシステムに接続するズームデマンド２を示し、図２は同様にカメラシステムに接続するフォーカスデマンド３を示している。
【００１１】
図３はズームデマンド２のブロック回路構成図を示し、指令信号発生手段４はズームレンズ光学系を電動駆動するために、操作者によって操作されるズームコントロールスイッチ１の操作量に比例した駆動方向及び駆動速度を支持する指令信号を出力する。この指令信号発生手段４の出力は、ズーム速度可変抵抗５、信号レベル、シフト変換を行う指令信号演算手段６、Ａ／Ｄ変換手段７を介して、様々な制御、レンズ装置の認識、ＡＵＸスイッチの割り振り、設定動作を行うＣＰＵ８に接続されている。
【００１２】
ＣＰＵ８には、カメラに搭載されたＶＴＲのオン／オフを行うＶＴＲスイッチ９、他のカメラマンが撮影した映像をビューファインダに表示させるためのＲＥＴスイッチ１０が接続されている。更に、レンズ装置に搭載されたクイックズーム、シャトルショット、プリセット等の機能の有効／無効を操作するＡＵＸスイッチ１１、このＡＵＸスイッチ１１に割り振る機能をユーザが設定可能なＡＵＸユーザ設定手段１２が接続されている。また、ＣＰＵ８の出力はレンズ装置間の通信を行う通信変換手段１３に接続されている。
【００１３】
なお、クイックズームとは、スイッチを押し続けることにより、一時的にテレ端又はワイド端にズーミングし、スイッチを離すとまた元の位置に戻る機能である。一方、シャトルショットとは、任意のズームポジションを記憶でき、スイッチを押すだけで、高速でそのポジションにズームし、スイッチを離すと元のズームポジションに戻る機能である。
【００１４】
プリセット機能には、スピードプリセット機能とフレーミングプリセット機能がある。スピードプリセット機能は予め記憶させたズームスピードをスイッチを押すだけで、何度でも再現する機能である。フレーミングプリセット機能は、ズームポジションを記憶させ、スイッチを押すことで任意の位置から記憶したズームポジションに、ズームすることができる機能である。
【００１５】
図４〜図６はＡＵＸスイッチ１１のレンズ装置への接続例を示し、図４においてはＡＵＸスイッチ１１を備えるズームデマンド２が、シャトルショット機能を搭載したレンズ装置２１に接続されている。図５においては、ズームデマンド２が防振機能（ＩＳ）を搭載したレンズ装置２２に接続され、図６においては、ズームデマンド２が合焦機能（ＡＦ）を搭載したレンズ装置２３に接続されている。なお、それぞれのレンズ装置２１〜２３には、シャトルショットスイッチ２４が設けられている。
【００１６】
図７は動作フローチャート図であり、三脚等にカメラシステムを固定して撮影する場合に、ズームデマンド２を図４に示すように接続し操作を行う。通常では、このような形態の撮影時には、レンズ装置２１のズームコントロールスイッチや、その他のスイッチは使用せず、ズームデマンド２のズームコントロールスイッチ１を使用することが多い。
【００１７】
レンズ装置２１にズームデマンド２を接続すると、ステップＳ１０１でズームデマンド２側から接続確認信号をレンズ装置２１側に通信変換手段１３を介して送信する。これは、レンズ装置２１とズームデマンド２が接続され、ズームデマンド２の電源がオンされることで、レンズ装置２１側がズームデマンド２と通信可能かどうかを確認するものである。
【００１８】
次にズームデマンド２側では、ステップＳ１０２で接続確認信号に対するレンズ装置２１からの返信信号を待ち、受信できない場合に、再度接続確認信号を出力するためにステップＳ１０１に戻る。接続確認信号の返信信号が確認できた場合に、レンズ装置２１とズームデマンド２は通信可能な状態となり、ステップＳ１０３に進む。
【００１９】
通信状態が確保された場合に、ズームデマンド２側でＡＵＸスイッチ１１にどの機能を割り振るのかを決定するため、ステップＳ１０３でレンズ装置２１はレンズ名称確認信号を出力する。レンズ名称には、そのレンズが持つ機能が分かるようにしておき、レンズ名称をズームデマンド２側で認識することで、そのレンズが持つ機能をズームデマンド２側で判断し認識する。
【００２０】
例えば、図４〜図６に示すように、レンズ装置２１〜２３にそれぞれズームデマンド２を接続すると、各レンズ装置２１〜２３側からそのレンズ名称が送信される。ズームデマンド２側でそのレンズ名称により、例えば図４に示すレンズ装置２１に接続された場合は、シャトルショット機能を持っているレンズ装置２１であると認識する。また、図５に示すレンズ装置２２に接続された場合は、防振機能を持っているレンズ装置２２であると認識し、図６に示すレンズ装置２３に接続された場合は、オートフォーカス機能を持っているレンズ装置２３であると認識する。
【００２１】
ステップＳ１０４でレンズ名称の確認ができない場合には、再度、ステップＳ１０３に戻り、レンズ名称確認信号を出力する。認識ができるとステップＳ１０５に進み、ズームデマンド２のＡＵＸスイッチ１１に設定する機能を、取得したレンズ名称に応じて決定する。
【００２２】
通常の放送用レンズでは、そのレンズ装置が持つ特殊機能のうち、使用優先順位の高い機能を優先的に配置する。例えば、前述の図４のレンズ装置２１の場合はシャトルショットスイッチであり、図５のＩＳ機能付きレンズ装置２２ではシャトルショット機能よりもＩＳ機能の優先順が高いため、ＩＳ有効／無効スイッチを優先的に配置する。また、図６のＡＦ機能付きレンズ装置２３ではＡＦ有効／無効スイッチを優先的に配置する。
【００２３】
このように、ズームデマンド２が接続されたレンズ装置が持つ機能において、使用頻度が高く、有効な機能のスイッチをＡＵＸスイッチ１１に割り振るようにする。割り振る機能が決定するとステップＳ１０６に進み、割り振ることを決定した機能をＡＵＸスイッチ１１に設定する。レンズ装置にデマンドを接続する際に、そのレンズ装置が持つ機能のうち、使用頻度が高く有効である機能の優先順位を高くし、その優先順位の高いものから、ズームデマンド２が持つＡＵＸスイッチ１１に自動的に割り振る。このように、ＡＵＸスイッチ１１の機能を接続したレンズ装置が持つ機能に適した機能に自動的に設定することで、ユーザがわざわざその設定を切換えることなく、即座に必要な機能を持ったスイッチとして使用可能となる。
【００２４】
ＡＵＸスイッチ１１に割り振る機能を決定する際に、実施例１ではレンズ名称をズームデマンド２側で認識することによって行っているが、レンズ名称の代りに、そのレンズ装置が持つ機能を直接、通信によって通知するようにしてもよい。
【実施例２】
【００２５】
実施例１では、１台のレンズ装置に１台のズームデマンド２を接続した場合について説明したが、図８に示すように複数のデマンドを接続してもよい。図８に示す実施例２では、ズームデマンド２に複数のＡＵＸスイッチを設けた場合を示し、使用する符号は実施例１と同一の部材を示している。ＡＵＸスイッチ１１、２５はズームデマンド２に配置され、レンズ装置２６に搭載されているクイックズーム、シャトルショット、プリセット等の機能の有効／無効を行うようにされている。
【００２６】
図９はその動作フローチャート図であり、レンズ装置２６にズームデマンド２を接続すると、ステップＳ２０１でズームデマンド２側から接続確認信号をレンズ装置２６側に通信変換手段１３を介し送信する。レンズ装置２６とズームデマンド２が接続され、ズームデマンド２の電源がオンされることで、レンズ装置２６側がズームデマンド２と通信可能であるかを確認する。これは、接続されたデマンドがフォーカスデマンド３の場合も同様である。
【００２７】
次にズームデマンド２側では、ステップＳ２０２で接続確認信号に対するレンズ装置２６からの返信信号を待ち、受信できない場合には再度接続確認信号を出力するためステップＳ２０１に戻る。接続確認信号の返信信号が確認できた場合に、レンズ装置２６とズームデマンド２は通信可能な状態となり、ステップＳ２０３に進む。通信状態が確保された場合に、ズームデマンド２側でＡＵＸスイッチ１１、２５にどの機能を割り振るのかを決定するため、ステップＳ２０３でレンズ装置２６はレンズ名称確認信号を出力する。
【００２８】
ステップＳ２０４でレンズ名称の確認が受信できない場合に、再度、ステップＳ２０３に戻り、レンズ名称確認信号を出力する。認識できた場合はステップＳ２０５に進み、ズームデマンド２にあるＡＵＸスイッチ１１、２５に設定する機能を、取得したレンズ名称に応じて決定する。
【００２９】
次にステップＳ２０６に進み、ＡＵＸスイッチ１１、２５に設定すべき機能が、２つ以上あるかどうかを確認する。この確認は、図８に示すように２つ以上のＡＵＸスイッチ１１、２５があるズームデマンド２を使用する場合や、複数のデマンドをレンズ装置に接続しＡＵＸスイッチが複数個ある場合に、これらのＡＵＸスイッチに割り振る機能を決定するためである。もし、設定すべき機能が複数なければステップＳ２０９に進み、接続されているズームデマンド２のＡＵＸスイッチ１１、２５に同一機能を設定することを決定し、ステップＳ２１４に進む。
【００３０】
ステップＳ２０６で、複数の機能を有するレンズ装置２６にズームデマンド２が接続されている場合には、ステップＳ２０７でレンズ装置２６に接続されているズームデマンド２が１台かどうか、レンズ装置２６に確認信号を出力する。
【００３１】
ステップＳ２０８でレンズ装置２６からその確認信号を受信し、受信できなければ再度確認信号を出力するためステップＳ２０７に戻る。ステップＳ２１０で受信できた場合には、その返信信号を基にレンズ装置２６に接続されているデマンドが複数台であればステップＳ２１１に進みデマンドの優先順位を決定する。もし１台のみの場合は、そのままステップＳ２１２に進み、各デマンドでは決定されたデマンド優先順位を基に、レンズ装置２６のシャトルショット、ＩＳ、ＡＦの有効／無効スイッチ等の機能を優先的に割り振るＡＵＸスイッチの順位を決定する。
【００３２】
ステップＳ２１３で優先順位の高い機能から、決められたＡＵＸスイッチに各機能の割り振りを決定する。そして、ステップＳ２１４で決められた割り振りを基に、各ＡＵＸスイッチに各機能を設定する。
【００３３】
このように、レンズ装置２６に複数のデマンドを接続した際や、１つのデマンドに複数のＡＵＸスイッチが搭載されている場合に、そのデマンド間及びＡＵＸスイッチ間で優先順位を付ける。その場合に、レンズ装置２６が持つ使用頻度が高く、有効である機能を、優先順位を基に自動的に割り振る。このように、ＡＵＸスイッチの機能を接続したレンズ装置２６が持つ機能に適した機能に自動的に設定することで、ユーザがわざわざその設定を切換えることなく、即座に必要な機能を持ったスイッチとして使用可能となる。
【実施例３】
【００３４】
実施例１、２では、ＡＵＸスイッチの機能割り振り及び設定は、自動で行うことを説明したが、本実施例３は自動で設定するか撮影者が設定するかを切換え可能としている。
【００３５】
図１０はズームデマンド２に配置され、図３のＡＵＸユーザ設定手段１２に接続されたディスプレイ式のユーザモード設定部３１を示し、ユーザ設定モードと自動設定モードの切換えや、ＡＵＸスイッチへの機能割り振りを行うようにされている。ユーザモード設定部３１には、ＡＵＸスイッチの機能割り振りを自動で行うか、撮影者が行うかを選択できる設定項目（ＡＵＴＯ）、どのＡＵＸスイッチにどの機能を割り振るかを設定できる設定項目（ＡＵＸ１〜３）が設けられている。
【００３６】
このユーザモード設定部３１には切換スイッチ３２が付設され、切換スイッチ３２はユーザモード設定部３１の各項目の設定を切換える。これにより、レンズ装置にズームデマンドを接続した際のＡＵＸスイッチへの機能割付けを自動で行うか、撮影者自身が設定するのかを選択可能とされている。撮影者は切換スイッチ３２を用いて、その設定変更が可能な場所のカーソルを移動し、ＡＵＴＯの項目であれば有効／無効の切換えを行う。ＡＵＸ１〜３の項目であれば、Ｓｈｔｌ（シャトルショット）、ＡＦ、ＩＳ  ｅｔｃのスイッチ機能の切換えを行うようにされている。
【００３７】
図１１はこのユーザ設定モードに関するフローチャート図である。図３に示すズームデマンド２内のＣＰＵ８では、ステップＳ３０１でユーザモード設定部３１における設定項目を確認し、ＡＵＴＯ設定項目により有効／無効を確認し、ステップＳ３０２でＡＵＸスイッチへの機能割り振りを自動で行うかを確認する。ステップＳ３０３で自動とされているＡＵＴ＝ＯＮであれば、自動設定モードとし、ＯＦＦであればステップＳ３０４でユーザ設定モードとする。
【００３８】
図１２は実施例３の動作フローチャート図であり、レンズ装置にズームデマンド２を接続すると、ステップＳ４０１でズームデマンド２側から接続確認信号をレンズ装置側に通信変換手段１３を介し送信する。これは、レンズ装置とズームデマンド２が接続され、ズームデマンド２の電源がオンされることで、レンズ装置側がズームデマンド２と通信可能かを確認するものである。
【００３９】
次にズームデマンド２側では、ステップＳ４０２で接続確認信号に対するレンズ装置からの返信信号を待ち、受信できなければ再度接続確認信号を出力するためステップＳ４０１に戻る。接続確認信号の返信信号が確認できた場合に、レンズ装置とズームデマンド２は通信可能な状態となるとステップＳ４０３に進む。ステップＳ４０３で通信状態が確保された場合に、ズームデマンド側でＡＵＸスイッチにどの機能を割り振るのかを決定するため、レンズ装置はレンズ名称確認信号を出力する。
【００４０】
ステップＳ４０４でレンズ名称の確認ができない場合には再度ステップＳ４０３に戻り、レンズ名称確認信号を出力する。認識できるとステップＳ４０５に進み、現在のモードがユーザ設定モードかどうか確認する。このユーザ設定モードはユーザモード設定部３１に設定されたモードをディスプレイにより確認する。
【００４１】
ユーザモード設定部３１の設定情報を基に、ユーザ設定モードでない場合はステップＳ４０８に進む。ステップＳ４０５でユーザ設定モードであればステップＳ４０６に進み、ユーザモード設定部３１で設定されている機能が、接続されているレンズ装置にあるかどうかを確認する。
【００４２】
機能が設定されていれば、ステップＳ４０７でその設定されている機能をＡＵＸスイッチに割り振る。ない場合には自動設定モードとし、ステップＳ４０８で優先順位の高い機能をＡＵＸスイッチに割り振る。割り振る機能を決定した後にステップＳ４０９に進み、ＡＵＸスイッチに割り振ることを決定した機能をＡＵＸスイッチに設定する。
【００４３】
このように、レンズ装置にズームデマンドを接続する際に、ＡＵＸスイッチにレンズ装置が持つ機能を割り振る場合に、撮影者がその機能を割り振る設定を選択可能としている。これにより、使用頻度が高く有効である機能を自動的に割り振ること、撮影者が意図する状態にその割り振りを変更することも可能となり、撮影者が自在にその機能割り振りを行うことができる。
【図面の簡単な説明】
【００４４】
【図１】実施例１のズームデマンドの構成図である。
【図２】実施例１のフォーカスデマンドの構成図である。
【図３】実施例１のズームデマンド内のブロック回路構成図である。
【図４】実施例１のズームデマンドをレンズ装置に接続した状態の構成図である。
【図５】実施例１のズームデマンドをレンズ装置に接続した状態の構成図である。
【図６】実施例１のズームデマンドをレンズ装置に接続した状態の構成図である。
【図７】実施例１の動作フローチャート図である。
【図８】実施例２のズームデマンドをレンズ装置に接続した状態の構成図である。
【図９】実施例２の動作フローチャート図である。
【図１０】実施例３のユーザモード設定部の構成図である。
【図１１】実施例３のユーザ設定モードのフローチャート図である。
【図１２】実施例３の動作フローチャート図である。
【符号の説明】
【００４５】
１  ズームコントロールスイッチ
２  ズームデマンド
３  フォーカスデマンド
４  指令信号発生手段
５  ズーム速度可変抵抗
６  指令信号演算手段
７  Ａ／Ｄ変換手段
８  ＣＰＵ
９  ＶＴＲスイッチ
１０  ＲＥＴスイッチ
１１、２５  ＡＵＸスイッチ
１２  ＡＵＸユーザ設定手段
１３  通信変換手段
２１〜２３、２６  レンズ装置
２４  シャトルショットスイッチ
３１  ユーザモード設定部
３２  切換スイッチ
【図１】
0004804054.tif 000002
【図２】
0004804054.tif 000003
【図３】
0004804054.tif 000004
【図４】
0004804054.tif 000005
【図５】
0004804054.tif 000006
【図６】
0004804054.tif 000007
【図７】
0004804054.tif 000008
【図８】
0004804054.tif 000009
【図９】
0004804054.tif 000010
【図１０】
0004804054.tif 000011
【図１１】
0004804054.tif 000012
【図１２】
0004804054.tif 000013